(57)【要約】【課題】情報配信システムは、入力する文書情報から文書構成要素を抽出して配信し、配信先の情報端末において表示する。【解決手段】画像形成装置の情報配信装置１００は、解析部１２が文書情報を解析して文書構成要素を抽出し、第１の表示制御部１４が第１の操作表示部１１に文書構成要素をプレビュー表示させ、該プレビュー表示から選択された文書構成要素情報を、ネットワーク３を介して情報処理装置２００に送信する。情報処理装置２００は、受信した文書構成要素情報を第２の操作表示部６５に、アイコンによりコンテンツバーに収容される態様で表示する。第２の操作表示部６５は、アプリケーションの画面を表示し、上記表示されたアイコンが選択されてアプリケーション上に展開される指示入力を受け付けると、該文書構成要素情報をアプリケーション上で展開させて表示する。【選択図】        図１
2007288769.tif 000002
【特許請求の範囲】
【請求項１】
文書情報を解析して文書情報を構成する要素である文書構成要素を抽出し、文字属性と解析した前記文書構成要素に対して、文字認識処理を施す解析手段と、
抽出した文書構成要素を表示するとともに、選択入力を受け付ける操作表示手段と、
選択入力が受け付けられた文書構成要素をネットワークを介して情報処理装置に送信する通信手段と、
を備えたことを特徴とする画像形成装置。
【請求項２】
前記解析手段は、前記文書構成要素の属性を、文字、画像、図表、グラフ、およびその他の属性に解析するものであることを特徴とする請求項１に記載の画像形成装置。
【請求項３】
前記操作表示手段は、表示する前記文書構成要素の属性を決定する入力を受け付け、
前記解析手段は、受け付けた前記属性決定の入力に従って、前記文書構成要素の属性を決定することを特徴とする請求項１に記載の画像形成装置。
【請求項４】
前記操作表示手段は、表示する前記文書情報の領域を指定する入力を受け付け、
前記解析手段は、前記操作表示手段から指定する入力を受け付けられた前記領域に対して、前記属性を決定して領域を抽出するものであることを特徴とする請求項１に記載の画像形成装置。
【請求項５】
前記操作表示手段から選択入力が受け付けられた文書構成要素を格納する記憶手段を、さらに備え、
前記通信手段は、前記記憶手段に格納された文書構成要素を送信するものであることを特徴とする請求項１に記載の画像形成装置。
【請求項６】
前記通信手段は、前記情報処理装置から送信される識別情報を受信する場合、受信した前記識別情報に基づく送信先に、前記文書構成要素を送信するものであることを特徴とする請求項１に記載の画像形成装置。
【請求項７】
画像情報を含む電子メールを受信するメール受信手段と、
受信した電子メールを解析して文書情報を構成する要素である文書構成要素を抽出し、文字属性と解析した前記文書構成要素に対して、文字認識処理を施す解析手段と、
前記文書構成要素をネットワークを介して前記電子メールの宛先に送信するメール送信手段と、
を備えたことを特徴とするメール配信サーバ。
【請求項８】
前記解析手段は、前記文書構成要素の属性を、文字、画像、図表、グラフ、およびその他の属性に解析するものであることを特徴とする請求項７に記載のメール配信サーバ。
【請求項９】
ネットワークで接続される画像形成装置から、文書情報を構成する要素である文書構成要素を受信する通信手段と、
受信した前記文書構成要素を画面上の所定位置にシンボルとして表示するとともに、表示された前記シンボルが選択されてアプリケーション画面に取り込む旨の指示入力を受け付ける操作表示手段と、
受け付けた指示入力に従って、前記シンボルで表示された前記文書構成要素を、前記アプリケーションに取り込む展開手段と、
を備えたことを特徴とする情報処理装置。
【請求項１０】
前記操作表示手段は、前記シンボルを、画面上の所定位置に表示された矩形状の表示バーに収容した形態で表示することを特徴とする請求項９に記載の情報処理装置。
【請求項１１】
前記操作表示手段は、前記指示入力をドラッグアンドドロップおよびコピーペーストのいずれかによって行うものであることを特徴とする請求項１０に記載の情報処理装置。
【請求項１２】
前記通信手段は、前記画像形成装置が識別可能な識別情報を送信するものであることを特徴とする請求項９に記載の情報処理装置。
【請求項１３】
前記文書構成要素を表示して編集入力を受け付ける編集モード表示から受け付けられた編集入力に従って前記文書構成要素情報を編集する編集手段を、さらに備え、
前記操作表示手段は、前記編集モード表示をおこなうとともに、前記編集手段によって編集処理を施された文書構成要素を、表示するものであることを特徴とする請求項９に記載の情報処理装置。
【請求項１４】
前記操作表示手段は、前記編集処理を施された文書構成要素を、更新して表示するものであることを特徴とする請求項１３に記載の情報処理装置。
【請求項１５】
前記第２の操作表示手段で受け付けられた前記検索要求情報に基づいて、ネットワーク上の共有データとして保存されている前記文書構成要素を検索する検索手段、
をさらに備えたことを特徴とする請求項９に記載の情報処理装置。
【請求項１６】
前記検索手段は、前記ネットワークを介して、さらに、前記画像形成装置に共有データとして格納された前記文書構成要素を検索するものであることを特徴とする請求項１５に記載の情報処理装置。
【発明の詳細な説明】
【技術分野】
【０００１】
本発明は、画像形成装置、メール配信サーバおよび情報処理装置に関するものである。
【背景技術】
【０００２】
近年、他の端末装置との間でデータを通信可能なネットワーク複合機を備えたネットワーク通信システムが考案されている。例えば、スキャナで読み取った原稿を、ＯＣＲ処理した送信先に自動的に送信する技術がある（特許文献１）。
【０００３】
この特許文献１に記載された技術では、スキャナで読み取った原稿から文字情報および画像情報を判別し、文字画像から送信先と本文情報を取得し、画像情報については添付ファイルとして読み取った宛先に電子メールで送信することができる。
【０００４】
【特許文献１】特開２００５−２４４４１１号公報
【発明の開示】
【発明が解決しようとする課題】
【０００５】
しかしながら、この従来技術では、スキャナで読み取った原稿から別途文字認識処理を行い、さらに電子メール送信の処理を行うという複数の処理を実行しなければならず、利用者の作業が煩雑になってしまうという問題がある。すなわち、入力される文書情報を構成している要素である文書構成要素ごとに文書情報から抽出し、常に情報端末に新しく抽出された文書構成要素を表示することができれば利用者にとって利便なものとなる。
【０００６】
本発明は、上記に鑑みてなされたものであって、その目的は、入力する文書情報から文書情報を構成する要素を抽出して配信し、配信先の情報端末において表示する利便性の高い画像形成装置、メール配信サーバおよび情報処理装置を提供することである。
【課題を解決するための手段】
【０００７】
上述した課題を解決し、目的を達成するために、本発明は、入力する文書情報を解析して文書情報を構成する要素である文書構成要素を抽出し、文字属性と解析した前記文書構成要素に対して、文字認識処理を施す解析手段と、抽出した文書構成要素を表示するとともに、選択入力を受け付ける操作表示手段と、選択入力が受け付けられた文書構成要素をネットワークを介して情報処理装置に送信する通信手段と、を備えたことを特徴とする画像形成装置である。
【０００８】
また、本発明は、画像情報を含む電子メールを受信するメール受信手段と、受信した電子メールを解析して文書情報を構成する要素である文書構成要素を抽出し、文字属性と解析した前記文書構成要素に対して、文字認識処理を施す解析手段と、前記文書構成要素をネットワークを介して前記電子メールの宛先に送信するメール送信手段と、を備えたことを特徴とするメール配信サーバである。
【０００９】
また、本発明は、ネットワークで接続される画像形成装置から、文書情報を構成する要素である文書構成要素を受信する通信手段と、受信した前記文書構成要素を画面上の所定位置にシンボルとして表示するとともに、表示された前記シンボルが選択されてアプリケーション画面に取り込む旨の指示入力を受け付ける操作表示手段と、受け付けた指示入力に従って、前記シンボルで表示された前記文書構成要素を、前記アプリケーションに取り込む展開手段と、を備えたことを特徴とする情報処理装置である。
【発明の効果】
【００１０】
本発明にかかる画像形成装置によれば、文書情報を解析して文書情報を構成する要素である文書構成要素を抽出し、文字属性と解析した前記文書構成要素に対して、文字認識処理を施し、抽出した文書構成要素を表示するとともに、選択入力を受け付け、選択入力が受け付けられた文書構成要素をネットワークを介して情報処理装置に送信するので、入力する文書情報から抽出された文書構成要素を配信することができ、複数の処理を実行する必要がなくなりユーザの利便性が向上するという効果を奏する。
【００１１】
また、本発明にかかるメール配信サーバによれば、画像情報を含む電子メールを受信し、受信した電子メールを解析して文書情報を構成する要素である文書構成要素を抽出し、文字属性と解析した前記文書構成要素に対して、文字認識処理を施し、前記文書構成要素をネットワークを介して前記電子メールの宛先に送信することで、ユーザは画像を含む電子メールを送信するだけで、文書構成要素を抽出することができるので、ユーザはＯＣＲ処理やメール送信など複数の処理を行う必要がなくなり、ユーザの利便性が図られるという効果を奏する。
【００１２】
また、本発明にかかる情報処理装置によれば、ネットワークで接続される画像形成装置から、文書情報を構成する要素である文書構成要素を受信し、受信した前記文書構成要素を画面上の所定位置にシンボルとして表示するとともに、表示された前記シンボルが選択されてアプリケーション画面に取り込む旨の指示入力を受け付け、受け付けた指示入力に従って、前記シンボルで表示された前記文書構成要素を、前記アプリケーションに取り込むことで、画像形成装置が入力する文書情報から抽出された文書構成要素が表示されて、アプリケーションで使用でき、ユーザの利便性を向上することができるという効果を奏する。
【発明を実施するための最良の形態】
【００１３】
以下に添付図面を参照して、この発明にかかる画像形成装置、メール配信サーバおよび情報処理装置の最良な実施の形態を詳細に説明する。
【００１４】
（１．実施の形態１）
実施の形態１による情報配信システムは、それぞれネットワークで接続される画像形成装置と、情報処理装置とからなり、画像形成装置においては、入力する文書情報を解析して文書情報を構成する要素である文書構成要素を抽出し、抽出される文書構成要素をプレビュー表示し、該プレビュー表示から選択入力を受け付け、選択入力が受け付けられた文書構成要素情報をネットワークを介して情報処理装置に送信する。情報処理装置は、画像形成装置が送信する文書構成要素情報をネットワークを介して受信し、受信する文書構成要素情報をシンボルとしてのアイコンにより、画面上の所定位置に矩形状に配置されたコンテンツバー（ウィジェット）に収容される態様で表示し、また、起動された（オープンされた）アプリケーションの画面を表示し、かつ、表示されたアイコンが選択されてアプリケーション上に取り込む（展開される）指示入力を受け付けると、受け付けた指示入力に従って、アイコンで表示されている当該文書構成要素情報を起動中の該アプリケーションで取り込んで表示する。
【００１５】
この構成によって、画像形成装置で入力する文書情報を文書構成要素ごとに抽出して表示し、表示されたものから選択された場合は、情報処理装置に送信されて画面表示され、画面上に起動された他のアプリケーションで使用することができるので、画像形成装置が入力する文書情報から抽出された文書構成要素が、情報処理装置に表示されて、アプリケーションで使用できる利便性の高い情報配信システムとなる。
【００１６】
図１は、実施の形態１による情報配信システムの機能的ブロック図である。実施の形態１による情報配信システムは、それぞれネットワーク３で接続される画像形成装置１１０と、情報処理装置２００とからなる。
【００１７】
（１．１．全体構成）
画像形成装置１１０は、スキャナ１、入力処理部２、情報配信装置１００、出力処理部４，画像出力部５を備える。画像形成装置は、内部に情報配信装置１００を備えて、スキャナ１によって読み取った画像から文書構成要素を抽出して情報処理装置２００に配信する。情報配信装置１００は、第１の操作表示部１１、解析部１２、記憶部１３，第１の表示制御部１４、および第１の通信部１５を備える。
【００１８】
スキャナ１は、原稿を読み取る。入力処理部２は、スキャナによって読み取られた原稿のアナログデータを、電子的なデジタルデータに変換し、デジタル変換された画像データを情報配信装置１００に送信する。文書情報の入力については、第１の通信部１５が、ネットワーク３を介して文書データを受信することもできる。また、情報配信装置１００は、各種記録媒体に格納された文書データを入力手段（不図示）を介して入力することもできる。
【００１９】
記憶部１３は、入力する画像データ、および処理を施す各種のデジタルデータを格納する。出力処理部５は、読み込んだ原稿画像の画像データに対して出力処理を施す。画像出力部６は、出力処理部５によって出力処理を施された画像データを画像出力する。画像出力は、画像形成装置としての機能である。
【００２０】
画像形成装置は、スキャナ１、あるいはネットワーク３を介した電子データを入力する。情報配信装置１００は、解析部１２が、入力する文書データの属性を解析して、文書を構成する要素である文書構成要素を抽出する。
【００２１】
表示制御部１４は、抽出された文書構成要素を、第１の操作表示部１１に表示させる。第１の操作表示部１１は、表示される文書構成要素をインタフェース（Ｉ／Ｆ）として、操作者からの選択入力、および各種の編集入力を接触入力によって受け付ける。
【００２２】
第１の操作表示部１１は、液晶表示機能を有するいわゆるタッチパネルとして構成できる。第１の通信部１５は、受け付けられた文書構成要素をネットワーク３を介して、情報処理装置２００に送信する。
【００２３】
（１．２．解析部）
解析部１２は、入力する文書データに対して、文字、中間調画像、図表、画像、およびその他の画像種のうちいずれの属性であるかを解析し、属性によって領域に分割する。属性ごとに領域に分割された要素が文書構成要素である。
【００２４】
図２は、解析部１２の機能的ブロック図である。解析部１２は、領域識別部１２１および属性解析部１２２を有する。領域識別部１２１は、文書データの各領域を識別する。領域識別部１２１は、たとえば、文字属性の場合は段落ごと、写真画像および図表画像属性の場合はそれぞれ写真画像および図表画像ごとに識別し、識別結果に基づいて領域を分割する。領域識別部１２１は、文書データの濃度変化、エッジ部の検出、および中間調領域の検出などの公知技術によって文書データの領域を識別する。
【００２５】
領域識別１２１は、例えば、文字であると判定した部分が連続した状態であることを検知して文字領域を識別する。また、中間調画素が連続することを検出して、写真画像の領域であると識別することができる。また、エッジ部と、濃淡の差が激しいことを検出することによって、図表画像の領域であることを識別できる。それ以外については、文字、写真、および図表画像でないものと判定し、領域識別処理を施す。これらは公知技術であるので詳細な説明を省略する。
【００２６】
属性解析部１２２は、領域識別部１２１によって識別される領域の情報が文字、写真画像、中間調画像、図表画像、およびその他の画像のうちいずれの属性の情報であるかを解析する。この結果、属性ごとに領域分割されることになる。属性ごとに領域分割された要素が文書構成要素として生成される。
【００２７】
図３は、領域識別部１２１の機能的ブロック図である。領域識別部１２１は、レイアウト解析部１２１１と、文字解析部１２１２とを有する。レイアウト解析部１２１１は、領域識別部１２１および属性解析部１２２によって抽出された文書構成要素に対して、文書中におけるレイアウト構造を解析する処理を施す。レイアウト解析部１２１１が行うレイアウト解析は、例えばエッジ検出、中間調検出、画素位置の検出などの検出情報を、公知のアルゴリズムに当てはめて、それぞれの分割領域のレイアウトを解析する。あるいは、既に文書構成要素が抽出されているので、抽出された文書構成要素に対して、公知のアルゴリズムに当てはめてレイアウト解析することができる。文字解析部１２１２は、文字属性であると解析された文書構成要素に対して、文字認識処理を施す。
【００２８】
図４は、文字解析部の機能的ブロック図である。文字解析部１２１２は、文字要素を機械処理可能なフォーマットに変換する。文字解析部１２１２は、光学的読取（ＯＣＲ）部１２１２１、スプラインベクトル変換部１２１２２、および文字切り出し部１２１２３を有する。
【００２９】
文字切り出し部１２１２３は、濃淡検出によって文字を切り出す。スプラインベクトル変換部１２１２２は、切り出された文字に対してスプライン整形処理を施す。ＯＣＲ部１２１２１は、画像として読み取られた文字に対して光学的読み取りを行って文字認識する。ここで文字解析は、公知のアルゴリズムを適用することによって可能である。
【００３０】
文字解析部１２１２は、文字要素を機械処理可能なフォーマットに変換するので、編集処理を正確で迅速なものとすることができる。また、ＯＣＲ部１２１２１によって、文字画像をテキスト情報として抽出するので、効率的で利便性の高い表示および編集処理が可能になる。また、スプラインベクトル変換部１２１２２によって、文字の表示をより滑らかな表示とすることができる。また、文字切り出し部１２１２３を有することによって、正確に文字を切り出して文字解析を行うことができる。
【００３１】
ここで、解析部１２は、第１の操作表示部１１が受け付けた操作者による属性についての設定入力によって、分割した領域の属性を決定する構成とすることができる。例えば、操作者が表示された画面から操作者自身の判断によって解析部１２によって解析されて表示された文字画像は実際は写真画像であると判断し、操作者が写真画像である旨の設定入力を行った場合、この写真画像である属性の決定を受け付ける。これによって、分割された領域である文書構成要素の属性を、操作者の入力によって変更あるいは決定することができる。
【００３２】
（１．３．操作表示部での表示）
第１の操作表示部１１は、人間の指先、スタイラスペン、その他の接触入力具を介して接触することによって入力を受け付ける。第１の操作表示部１１は、指先やペン先からの押圧により抵抗の変化を検知する抵抗膜方式、あるいはアナログ容量結合方式などの公知技術によって、表示面のそれぞれの位置における入力を検出して受け付ける。以下に入力の形態として、第１の操作表示部１１に対して接触して入力を行う接触入力を例に挙げて説明するが、必ずしも接触入力のみに限定されるものではなく、マウス、キーボード、および押圧スイッチを含む種々の入力方式を適用することができる。
【００３３】
図５は、操作表示部の１例を示す模式図である。第１の操作表示部１１の操作表示面５００は、操作部５１０、表示部５３０を備える。操作部５１０からは、数字の入力、編集項目の入力、画像出力のためのスタート入力などが可能である。
【００３４】
表示部５３０において、文書データを入力した状態のプレビュー画像５３２を表すプレビュー画像モード、および解析部１２によって抽出された文書構成要素のうちで、選択されたものを表示される要素画像モード５３４を表示する。表示制御部１４は、入力した文書画像データ、および解析部１２によって抽出された文書構成要素を、図５に示した形態で第１の操作表示部１１に表示させる。
【００３５】
今、要素画像モード５３４において表示されている文書構成要素は、表示部５３０を入力インタフェースとして、接触入力による複写操作によって、プレビュー画像５３２から選択されて収められたものである。このような選択は、接触入力によるドラッグアンドドロップ操作で可能できる。また、このような選択は、接触入力によるコピーアンドペースト操作によっても可能である。
【００３６】
図６は、操作表示部の他の１例を示す模式図である。第１の操作表示部１１では、この例では画面６００は、プレビュー画面６２０、および要素画像表示６５０に分けられて表示されている。プレビュー画像６２０は、文書構成要素に分割されて表示されている。また、要素画像表示も文書構成要素ごとに収められる。
【００３７】
ここで、文書構成要素６２２〜６２５、および６３１〜６３４が今、操作者によって選択されて、ドラッグアンドドロップ操作によって、右側の要素画像モードによる要素画像表示６５０に収められた状態である。ここで、プレビュー画面６２０における文字要素である文書構成要素６２１〜６２５のうち、６２２〜６２５が選択されて、右側の要素画像６５０において文書構成要素６４２〜６４５に複写して収められている。
【００３８】
同様に、写真画像である文書構成要素６３１〜６３４が今、操作者によって選択されて、ドラッグアンドドロップ操作によって、右側の要素画像表示６５０において写真画像である文書構成要素６５１〜６５４に複写して収められている。
【００３９】
ここで、第１の操作表示部１１からはこの画面をインタフェースとして、各種の編集設定の入力が可能であり、表示制御部１４は、受け付けられた編集入力によって文書構成要素情報に対して編集処理を施して、再び、要素画像モードに表示する。例えば、要素画像６５１に対して、フィルタ処理を施して人物の背景を白くする処理を施すことができる。また、第１の操作表示部１１は、編集設定および印刷設定を含む各種の設定入力をこれら２つのモジュールによる表示から受け付ける構成とすることができる。
【００４０】
ここで、表示制御部１４は文書構成要素を好適な要素情報として編集処理を施すこともできる。例えば、通信機能に応じて、画像情報を低減することもできる。ここで、写真画像６３４を表示のためにサムネイル画像として生成し、サムネイル画像を当該画像のアイコン画像として使用することができる。そして、実際に送信する場合は、もとの要素画像情報を送信する構成とする。
【００４１】
文字として抽出された文書構成要素を、接触入力によるドラッグアンドドロップ操作によって右側の要素画像モードに挿入する場合、文字画像情報としてではなく、既に文字解析されたテキスト情報として、要素ごとに挿入する。
【００４２】
表示制御部１４は、解析部１２によって分割された文書構成要素について、プレビュー画像での表示と、要素画像モードでの表示とを対応付けて、記憶部１３に記憶させる。この対応付けによって、要素画像モードからの編集入力によっては、対応する基の文書構成要素に対して編集処理を施すことができる。
【００４３】
また、第１の操作表示部１１は、送信先、文書構成要素の属性、要素画像モードにおける文書構成要素の削除、追加などを、操作者からの入力を受け付ける。
【００４４】
また、ここで、第１の操作表示部１１からの操作入力については、第１の操作表示部１１に展開されるプルダウンメニューの中から操作者による接触入力によって選択する方式としてもよい。プルダウンメニューとしては、例えば、追加、移動、削除、拡大・縮小、および日付入力（不図示）などが可能である。また、これらのメニューを右クリック操作で出現するように構成できる。これらの技術は公知技術であるので、詳細な説明を省略する。
【００４５】
例えば、削除動作では、要素画像モードにおける文書構成要素６５２を削除する設定を受け付け、表示制御部１４がこの文書構成要素６５２を削除した状態で新たに、第１の操作表示部１１の要素表示モジュール６５０に表示させる（不図示）。
【００４６】
第１の操作表示部１１はまた、指による接触入力の他、表示する文書構成要素に対して、スタイラスペン等によるドラッグ操作を受け付けることができる。より細かな操作が可能になるからである。また、ドラッグ操作以外でも、所定のメニューを第１の操作表示部１１に表示させることによって、表示されたメニューからの接触入力による設定入力によって、電子メールモジュール表示において文書構成要素を挿入して表示することができる。
【００４７】
通信部１５は、第１の操作表示部１１における要素画像モード６５０において表示された文書構成要素の情報を、ネットワーク３を介して情報処理装置２００に送信する。これによって、この画像形成装置では、第１の操作表示部１１でプレビュー画像を見ながら文書構成要素を選択し、選択された文書構成要素を自動的に情報処理装置に送信することができる。
【００４８】
また、画像形成装置は、第１の操作表示部１１によって表示されたプレビュー画像、要素画像モード、あるいはその両方のモードによる表示情報を、出力処理部５に送信し、画像出力部６を介して画像出力することもできる。情報配信装置１００で編集された文書データの出力については、他にもファックス送信機能による出力など、画像形成装置の種々の機能に応じた出力が可能である。
【００４９】
（１．４．情報処理装置）
情報処理装置は、画像形成装置で抽出され選択された文書構成要素情報を、ネットワーク経由で受信し、画面表示し、画面上に起動された他のアプリケーションにおいて取り込んで使用可能とする。こうして、画像形成装置が入力する文書情報から抽出された文書構成要素が、情報処理装置に表示されるので、操作者は、情報処理装置に起動しているアプリケーションで、表示される文書構成要素を挿入して取り込むことによって使用できる。
【００５０】
情情報処理装置２００は、第２の通信部６１、展開部６２、文書編集部６３、第２の表示制御部６４、および第２の操作表示部６５を備える（図１）。
【００５１】
第２の通信部６１は、情報配信装置１００が送信する文書構成要素情報をネットワーク３を介して受信する。
【００５２】
第２の表示制御部６４は、受信する文書構成要素情報をアイコンによりコンテンツバーに収容される態様で第２の操作表示部６５に表示させる。
【００５３】
第２の操作表示部６５は、例えばワード（登録商標）などのアプリケーションを起動しており、このアプリケーションの画面に対して、表示されたアイコンが選択されてアプリケーション上に取り込む指示入力を受け付ける。
【００５４】
展開部６２は、第２の操作表示部６５が受け付けた指示入力に従って、アイコンで表示されている当該文書構成要素情報をアプリケーションに取り込む。
【００５５】
また、文書編集部６３は、第２の操作表示部６５によって選択された文書構成要素情報に対して、編集入力が受け付けられた場合、受け付けられた編集処理を施す。そして、第２の表示制御部６４は、編集処理を施された文書構成要素情報を、第２の操作表示部６５に表示させる。
【００５６】
図７は、実施の形態１の情報処理装置の第２の操作表示部における表示画面を示す模式図である。第２の操作表示部６５の機械的な構成は、第１の操作表示部１１において説明したのと同様である。例えば接触入力を受け付けることなど、第１の操作表示部１１において説明したのと同様である。
【００５７】
第２の操作表示部６５の画面７００では、他のアプリケーション画面７１０、および文書構成要素を収める形態で表示するコンテンツバー７５０が表示されている。ここで、コンテンツバー７５０には、例えば、文字による文書構成要素画像７５１、および画像７５２が表示されていて、操作者は、接触入力によるドラッグアンドドロップ操作（矢印７６０で示す）によって、画像７５２を、左側に表示されているワードプロセッサの編集画面に挿入する。挿入されたものが画像７１２である。画像７５２だけでなく、文字情報７５１も同様に挿入可能とする。
【００５８】
ここで、ドラッグアンドドロップ操作によって選択された画像７５２は、この画像情報が展開部６２によって、ワードプロセッサに挿入可能なデータ形式に変換する。そして、起動されているワードプロセッサは、変換された画像情報を、接触入力によって指定された場所に挿入して取り込む。
【００５９】
ここで、コンテンツバー７５０に収められた文書構成要素に対して、挿入する前に編集処理を施す場合、操作者は、第２の操作表示部６５上で選択して編集項目を入力する。編集項目は、右クリックによって出現するとしても、プルダウンメニューを表示する構成とすることもできる。そして、文書編集部６３は、選択して編集入力される編集項目に従って、文書構成要素情報に対して編集処理を施す。
【００６０】
第２の表示制御部６４は、編集処理を施された文書構成要素情報を再び、コンテンツバー７５０に表示させる。この場合、編集処理を施した文書構成要素画像を更新して表示させても良く、あるいは、重ねて表示する形態によって、編集前の画像を表示してもよい。あるいは、編集後の文書構成要素画像を収める他のコンテンツバー（不図示）を表示させる構成とすることもできる。
【００６１】
（１．５．情報装置および表示手順）
図８は、実施の形態１の情報配信システムにおける情報装置および表示手順を説明するフローチャートである。スキャナ１が原稿を読み込むと、入力処理部２が読み込まれた原稿画像のアナログデータをデジタルデータに変換し、情報配信装置１００が受信する。解析部１２は読み込んだ画像データを解析する。ここで、解析部１２が有する領域識別部１２１による領域の識別、属性解析部１２２による属性の解析に基づいて、解析部１２は文書データの属性を解析し、文書構成要素を抽出する。領域識別部１２１が有するレイアウト解析部１２１１と文字解析部１２１２とによってレイアウトおよび文字情報が解析される。文字解析部１２１２はＯＣＲ処理、文字切り出し処理などによって文字解析を行う。そして、解析部１２は、属性情報を解析するとともに、文書構成要素を抽出する（ステップＳ１０１）。
【００６２】
第１の表示制御部１４は、入力した状態のプレビュー画像モードのプレビュー画面（図６の符号６２０）、および選択された文書構成要素を表示する要素画像モードの要素画像表示（図６の符号６５０）を表示させる。ここで、表示制御部１４は、表示データを、プレビュー画像モードにおいて解析された文書構成要素ごとに表示させるように生成する（ステップＳ１０２）。ここでは、まだ操作者から選択入力がなされていないので、要素画像モードは新規作成画面の状態である。第１の操作表示部１１は、表示制御部１４によって生成された文書構成要素ごとに、プレビュー画像６１０と要素画像モード６５０とを並列して表示する。
【００６３】
第１の操作表示部１１は、プレビュー画像６１０における文書構成要素の選択入力を受け付けるか否かを判定し（ステップＳ１０３）、操作者が、選択して、要素画像表示６５０にドラッグアンドドロップ操作により収容する入力を行った場合（ステップＳ１０３のＹｅｓ）、この入力を受け付ける。
【００６４】
第１の操作表示部１１は、表示制御部１４によって生成された文書構成要素ごとに、プレビュー画像６２０における文書構成要素を選択して、要素画像モード６５０にドラッグアンドドロップ操作により収容する（図６）。但しここで、新規画面としては、要素画像モードにおいて、プレビュー画像６２０で表示された全ての文書構成要素を収容する構成とすることもできる。この場合、操作者による選択操作は必要に応じて、不必要な部分を削除していくことになる。両モードにおける文書構成要素は、第１の表示制御部１４によって対応付けられる。
【００６５】
第１の通信部１５は、選択された文書構成要素情報を、ネットワーク３を介して、情報処理装置２００に送信する（ステップＳ１０４）。情報処理装置２００の第２の通信部６１は、文書構成要素情報を受信したか否かを検出し（ステップＳ１０５）、検出した場合、第２の表示制御部６４は、第２の操作表示部６５において文書構成要素のアイコンを、コンテンツバー７５０（図７）に収容する形態で表示する（ステップＳ１０６）。
【００６６】
ここで、第２の操作表示部６５は、表示画面を介してアイコンが選択されたか否かを検出し（ステップＳ１０７）、検出した場合（ステップＳ１０７のＹｅｓ）、第２の操作表示部６５は、さらに、起動されたアプリケーションに選択されたアイコンを取り込む指示入力を受け付けたかを検出する（ステップＳ１０８）。即ち、コンテンツバー７５０に表示された文書構成要素が、起動されている他のアプリケーション画面へドラッグアンドドロップされる操作入力を受け付けたか否かを検出する。
【００６７】
このドラッグアンドドロップ操作入力を検出した場合（ステップＳ１０８のＹｅｓ）、展開部６２は、指示入力に従って、アイコンに該当する文書構成要素情報をアプリケーションで取り込む（ステップＳ１０９）。
【００６８】
（１．６．効果）
この構成によって、画像形成装置で入力する文書情報を文書構成要素ごとに抽出して表示し、表示されたものから操作者の選択を受け付けた場合、情報処理装置に送信されてそこで表示画面に表示され、画面上に起動された他のアプリケーションに取り込んで使用することができるので、画像形成装置が入力する文書情報から抽出された文書構成要素が、情報処理装置に表示されて、アプリケーションでデータ変換の操作を意識することなく使用できる利便性の高い情報配信システムとなる。
【００６９】
（変形例）
ここで、情報処理装置の第２の操作表示部は、コンテンツバーを表示バーの形態で表示し、指示入力をドラッグアンドドロップおよびコピーペーストの少なくともいずれかによって行う構成とすることが望ましい。文書構成要素を見易い形態で表示し、簡易な操作によって、表示される文書構成要素を画面上のアプリケーションで使用することができるからである。
【００７０】
ここで、画像形成装置の解析部１２は、解析する文書構成要素の属性に応じたデータ形式で文書構成要素情報を生成し、情報処理装置２００の展開部６２は、第２の操作表示部６５に表示する文書構成要素情報を、アプリケーション上に、アプリケーションおよび文書構成要素情報の属性に基づいたデータ形式で取り込むことが望ましい。例えば、解析する文書構成要素が文字情報である場合、テキストファイルで、また画像情報である場合は画像情報で文書構成要素情報を生成すると、送信時のファイル容量を抑えることができ、また、情報処理装置の画面上で他のアプリケーションに取り込む時も、それぞれテキストファイルあるいは画像ファイルとして取り込むことによって、より正確に表示することができるからである。
【００７１】
ここで、第１の操作表示部１１は、表示する文書構成要素の属性を決定する入力を受け付け、解析部１２は、受け付けられた入力に従って、文書構成要素の属性を決定する構成とすることが望ましい。操作者の判断により属性を正確に決定することができるからである。
【００７２】
ここで、第１の操作表示部１１は、表示する文書情報の領域を指定する入力を受け付け、解析部１２は、第１の操作表示部１１から指定を受け付けられた領域に対して、属性を決定して文書構成要素を抽出する構成とすることが望ましい。これによって、必要であると操作者が判断した領域のみから、文書構成要素情報を抽出することができるので、効率の良い文書構成要素の抽出が可能になるからである。
【００７３】
ここで、第１の操作表示部１１は、表示する文書情報の領域を矩形の形状で指定する入力を受け付ける構成をすることが望ましい。これによって、領域を矩形で指定することによって、簡易な操作により、必要な領域のみから文書構成要素情報を抽出することができるので、効率の良い運用が可能になるからである。
【００７４】
ここで、記憶部１３は、第１の操作表示部１１から選択入力が受け付けられた文書構成要素情報を格納しておき、第１の通信部１５は、記憶部１３に格納された文書構成要素情報を記憶部１３から読み出して送信する構成とすることが望ましい。これによって、記憶部１３に格納しておいた文書構成要素を、送信に都合の良い時に一挙に送信するなどして、通信効率を高めることができるからである。
【００７５】
ここで、解析部１２は、文書情報が入力された場合、画像形成装置が他の機能を実行している場合でも並行して、文書構成要素の解析を実行する構成とすることが望ましい。これによって、画像形成装置が他の機能を実行している時でもバックグラウンドで文書構成要素情報を抽出することができるので、利便性の高い文書構成要素情報の抽出が可能になるからである。
【００７６】
また、ここで、解析部１２が抽出した文書構成要素の全てを自動的に配信する構成とすることもできる。これによって、入力する文書情報を自動的に解析処理して、この文書情報に含まれる全ての文書構成要素情報を自動的に配信することができるからである。
【００７７】
（２．実施の形態２）
実施の形態２による情報配信システムが実施の形態１と異なる点は、情報処理装置は、識別情報を画像形成装置に送信し、画像形成装置は、受信する識別情報に対応する送信先に、文書構成要素情報を送信することである。これによって、画像形成装置は自動的に送信先を決定して文書構成要素情報を送信することができる。
【００７８】
図９は、実施の形態２による情報配信システムの機能的ブロック図である。情報処理装置２２０は、第２の操作表示部６５から識別情報を受け付ける。画像形成装置１２１に設けられた情報配信装置１２０の第１の通信部２５は、識別情報を受信し、記憶部１３に記憶される識別情報・送信先対応テーブル（不図示）に従って、対応する送信先に、文書構成要素情報を送信する。
【００７９】
ここで、情報処理装置２２０は、識別情報を受け付けて識別する識別部７１を、さらに備え、受け付けた識別情報が正規のものであると識別した場合のみ、情報配信装置１２０に送信することが望ましい。これによって、情報処理装置２２０を操作する操作者のアクセス権を判定し、アクセス権を有する場合のみ、情報配信装置１２０からの文書構成要素情報を受信して表示させることができるからである。
【００８０】
さらに、情報配信装置２２０は、受信する識別情報を正規のものであるか否かを照合する照合部２６を有する構成とすることが望ましい。これによって、照合が成功した送信先にのみ文書構成要素情報を送信することができるからである。
【００８１】
ここで、情報処理装置２２０の第２の通信部６１は、自身が有するＩＰアドレスを含むネットワーク上のアドレスを識別情報として送信することが望ましい。この構成によって自動的、あるいは操作者の手動によって装置のアドレスを送信して、画像形成装置から文書構成要素情報を送信させることができるからである。
【００８２】
図１０は、実施の形態２の情報配信システムにおける情報装置および表示手順を説明するフローチャートである。情報処理装置２２０においては、第２の操作表示部６５が識別情報の入力を受け付けたか否かを検出し（ステップＳ２０１）、検出した場合（ステップＳ２０１のＹｅｓ）、識別部７１は、受け付けた識別情報が正規の識別情報であるか否かを判定し（ステップＳ２０２）、正規の識別情報であると判定した場合（ステップＳ２０２のＹｅｓ）、第２の通信部６１は識別情報を、画像形成装置に送信する（ステップＳ２０３）。
【００８３】
一方、識別部７１が、正規の識別情報ではないと判定した場合（ステップＳ２０２のＮｏ）、第２の操作表示部６５は、エラー表示を行って終了する（ステップＳ２０４）。
【００８４】
識別情報を送信される画像形成装置は、第１の操作表示部１１において、文書構成要素の選択を受け付けた場合（ステップＳ１０３のＹｅｓ）、選択された識別情報を第１の通信部１５は識別情報と対応テーブルとを参照して対応する送信先に、送信する（ステップＳ２０５）。
【００８５】
このように実施の形態２による情報配信システムでは、情報処理装置からの識別情報を画像形成装置が受信して、対応する識別情報の送信先にのみ、文書構成要素情報を送信することによって、画像形成装置は自動的に正規の送信先を決定して文書構成要素情報を送信することができる。
【００８６】
（３．実施の形態３）
実施の形態３による情報配信システムが、実施の形態１と異なる点は、情報処理装置の第２の操作表示部は、文書構成要素情報を表示して編集入力を受け付ける編集モード表示による表示を行い、文書編集部編集モード表示から受け付けられた編集入力に従って文書構成要素情報を編集し、編集処理を施された文書構成要素情報を、第２の操作表示部６５は再び、表示することである。
【００８７】
図１１は、実施の形態３による情報配信システムの機能的ブロック図である。情報処理装置２３０の第２の表示制御部８４は、文書構成要素情報を表示して編集入力を受け付ける編集モード表示を、第２の操作表示部６５に表示させる。文書編集部８３は、第２の操作表示部６５における編集モード表示から受け付けられた編集入力に従って、文書構成要素情報を編集する。そして、第２の表示制御部８４は、文書編集部８３によって編集処理を施された文書構成要素情報を、第２の操作表示部６５に表示させる。
【００８８】
この構成によって、情報処理装置において表示された文書構成要素に編集作業を施して、編集後の結果を表示させることができる。
【００８９】
図１２は、情報処理装置において表示された編集処理モードの１例を示す図である。編集処理モード画面１２００においては、各文書構成要素１２１０、１２２０、１２３０、および１２３５が示されている。例えば、画像で示された見出し画像１２１０の場所に、例えば、操作者からの入力によって変更を加えて、変更後の見出しを（不図示）表示させることができる。また、文字要素である文書構成要素１２３０および１３３５を順序づける入力を行い、順序づけを矢印で表示することもできる。
【００９０】
図１３は、実施の形態３による情報配信システムにおける情報装置および表示手順を説明するフローチャートである。情報処理装置２３０の第２の表示制御部８４は、第２の操作表示部６５に、文書構成要素情報を表示して編集入力を受け付ける編集モードで表示させる（ステップＳ３０１）。第２の操作表示部６５は、編集モードで表示された文書構成要素情報から編集入力を受け付けたか否かを検出し（ステップＳ３０２）、検出した場合（ステップＳ３０２のＹｅｓ）、文書編集部８３は、受け付けられた編集入力に従って文書構成要素情報に編集処理を施す（ステップＳ３０３）。第２の操作表示部６５は、編集処理を施された文書構成要素情報を、再び表示する（ステップＳ３０４）。
【００９１】
このようにして、情報処理装置２３０において表示された文書構成要素に編集作業を施して、編集後の結果を表示させることができる。
【００９２】
（変形例）
ここで、第２の操作表示部６５は、編集処理を施された文書構成要素情報を、更新して表示するほか、更新した要素画像と、更新前の要素画像とを並列的に表示するとしても良い。あるいは、更新前の表示を、薄く影のような形態で表示するとしても良い。編集前後の要素情報を比較することができるからである。
【００９３】
（４．実施の形態４）
実施の形態４による情報配信システムが実施の形態１と異なる点は、コンテンツバーに表示される文書構成要素が他の情報処理装置に共有データとして保存されている点である。また、本実施の形態では、情報処理装置が検索部を備え、第２の操作表示部はコンテンツバーに表示される文書構成要素を検索する検索要求入力を受け付けて、検索部が、受け付けられた検索要求入力に基づいて、他の情報処理装置に共有データとして保存されている文書構成要素を検索する検索要求情報を生成し、ネットワークを介して送信させる。
【００９４】
図１４−１は、実施の形態４による情報配信システムの機能的ブロック図である。他の情報処理装置２４０ａにはその記憶部に共有データ２４１として文書構成要素が保存されている。実施の形態４による情報配信システムの情報処理装置２４０は、検索部９６を備える。第２の操作表示部６５は、他の情報処理装置２４０ａの共有データとしての文書構成要素を検索する検索要求入力を、図１４−２に示す検索フィールド１４０２から受け付け、検索部９６は、受け付けられた検索要求入力に基づいて、他の情報処理装置に保存されている共有データ２４１の中から、第２の操作表示部のコンテンツバーに表示される文書構成要素をネットワークを介して検索する検索要求情報を生成し、送信させる。
【００９５】
図１５は、実施の形態４による情報配信システムにおける情報装置および表示手順を説明するフローチャートである。情報処理装置２４０の第２の操作表示部６５は、文書構成要素についての検索要求情報を受け付けたか否かを検出し（ステップＳ４０１）、検出した場合（ステップＳ４０１のＹｅｓ）、検索部９６は、他の情報処理装置の共有データ２４１として保存されている文書構成要素をネットワークを介して検索して送信させる共有検索要求情報を生成する（ステップＳ４０２）。第２の通信部６１は、共有検索要求情報を他の情報処理装置に送信する（ステップＳ４０３）。そして、他の情報処理装置２４０ａにおいて検索して取得された場合は、送信させて受信する。
【００９６】
これによって、情報処理装置２４０が保有しない文書構成要素についても、他の情報処理装置２４０ａが共有データとして保有しているものを検索し、送信させて取得し、自己の情報処理装置２４０のコンテンツバーに表示することができる。
【００９７】
なお、他の情報処理装置２４０ａにおいては共有データ２４１としての文書構成要素を他の情報処理装置２４０ａのコンテンツバーに表示するように構成してもよい。
【００９８】
（変形例）
ここで、検索部９６は、ネットワークを介して、さらに、画像形成装置の記憶部１３に共有データとして格納された文書構成要素情報を検索する構成としてもよい。
【００９９】
図１６は、実施の形態４の変形例による情報配信システムにおける情報装置および表示手順を説明するフローチャートである。情報処理装置２４０の第２の操作表示部６５は、画像形成装置の記憶部１３に共有データとして格納されている文書構成要素についての検索要求情報を受け付けたか否かを検出し（ステップＳ５０１）、検出した場合（ステップＳ５０１のＹｅｓ）、検索部９６は、画像形成装置の記憶部１３に格納されている共有データとしての文書構成要素をネットワークを介して検索して送信させる記憶部検索要求情報を生成する（ステップＳ５０２）。第２の通信部６１は、記憶部検索要求情報を画像形成装置に送信する（ステップＳ５０３）。そして、画像形成装置の記憶部１３において検索して取得された場合は、送信させて受信する。
【０１００】
これによって、画像形成装置の記憶部１３に共有データとして格納された文書構成要素情報を取得して、自己の情報処理装置２４０のコンテンツバーに表示することができる。
【０１０１】
（５．実施の形態５）
図１７は、実施の形態５による情報配信システムの機能的ブロック図である。実施の形態５による情報配信システムが実施の形態１と異なる点は、画像形成装置の代わりに、実施の形態１〜４において説明されてきた画像形成装置におけるスキャナ１、入力処理部２、出力処理部４、および画像出力部５を備える必要はなく、メール配信サーバ１５０（文書配信サーバ）として構成する。例えば、携帯電話１７０１、デジタルカメラ１７０２、ＰＣ（Ｐｅｒｓｏｎａｌ  Ｃｏｍｐｕｔｅｒ）１７０３から画像情報を含む電子メールを情報処理装置２００等のユーザの宛先に送信した場合、かかる電子メールを指定された宛先に配信するために、このメール配信サーバ１５０で第１の通信部５５により一旦受信し、解析部５２によって、受信した画像を含む電子メールを解析して文書構成要素を抽出する。なお、電子メールの解析および文書構成要素の抽出は、実施の形態１〜４と同様に行われる。
【０１０２】
これによって、メール配信サーバ１５０は、電子メールから文書構成要素情報を抽出し、指定された宛先のユーザが使用する情報処理装置２００に送信して情報処理装置２００において文書構成要素を表示させることができる。従って、携帯電話１７０１やデジタルカメラ１７０２で撮像した画像、ＰＣ１７０３で取得した画像等を電子メールで送信するだけで、文書構成要素情報を抽出することができるので、ユーザはＯＣＲ処理やメール送信など複数の処理を行う必要がなくなり、ユーザの利便性が図られる。
【０１０３】
（６．ハードウェア構成など）
図１８は、実施の形態による画像形成装置のハードウェア構成を示すブロック図である。この画像形成装置は、ファックスやスキャナなどの複合的機能を備える複合機（ＭＦＰ）として構成されている。図に示すように、このＭＦＰは、コントローラ２２１０とエンジン部２２６０とをＰＣＩ（Ｐｅｒｉｐｈｅｒａｌ  Ｃｏｍｐｏｎｅｎｔ  Ｉｎｔｅｒｃｏｎｎｅｃｔ）バスで接続した構成となる。コントローラ２２１０は、ＭＦＰ全体の制御、画像表示制御、各種制御、画像処理制御、情報配信など、ＦＣＵＩ／Ｆ２２３０、第１の操作表示部１１からの入力を制御するコントローラである。エンジン部２２６０は、ＰＣＩバスに接続可能な画像処理エンジンなどであり、例えば取得した画像データに対して誤差拡散やガンマ変換などの画像処理部分が含まれる。
【０１０４】
コントローラ２２１０は、ＣＰＵ２２１１と、ノースブリッジ（ＮＢ）２２１３と、システムメモリ（ＭＥＭ−Ｐ）２２１２と、サウスブリッジ（ＳＢ）２２１４と、ローカルメモリ（ＭＥＭ−Ｃ）２２１７と、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）２２１６と、ハードディスクドライブ５とを有し、ノースブリッジ２２１３とＡＳＩＣ２２１６との間をＡＧＰ（Ａｃｃｅｌｅｒａｔｅｄ  Ｇｒａｐｈｉｃｓ  Ｐｏｒｔ）バス２２１５で接続した構成となる。また、ＭＥＭ−Ｐ２２１２は、ＲＯＭ（Ｒｅａｄ  Ｏｎｌｙ  Ｍｅｍｏｒｙ）２２１２ａと、ＲＡＭ（Ｒａｎｄｏｍ  Ａｃｃｅｓｓ  Ｍｅｍｏｒｙ）２２１２ｂとをさらに有する。
【０１０５】
ＣＰＵ２２１１は、ＭＦＰの全体制御を行うものであり、ＮＢ２２１３、ＭＥＭ−Ｐ２２１２およびＳＢ２２１４からなるチップセットを有し、このチップセットを介して他の機器と接続される。
【０１０６】
ＮＢ２２１３は、ＣＰＵ２２１１とＭＥＭ−Ｐ２２１２、ＳＢ２２１４、ＡＧＰ２２１５とを接続するためのブリッジであり、ＭＥＭ−Ｐ２２１２に対する読み書きなどを制御するメモリコントローラと、ＰＣＩマスタおよびＡＧＰターゲットとを有する。
【０１０７】
ＭＥＭ−Ｐ２２１２は、プログラムやデータの格納用メモリ、プログラムやデータの展開用メモリなどとして用いるシステムメモリであり、ＲＯＭ２２１２ａとＲＡＭ２２１２ｂとからなる。ＲＯＭ２２１２ａは、プログラムやデータの格納用メモリとして用いる読み出し専用のメモリであり、ＲＡＭ２２１２ｂは、プログラムやデータの展開用メモリ、画像処理時の画像描画メモリなどとして用いる書き込みおよび読み出し可能なメモリである。
【０１０８】
ＳＢ２２１４は、ＮＢ２２１３とＰＣＩデバイス、周辺デバイスとを接続するためのブリッジである。このＳＢ２２１４は、ＰＣＩバスを介してＮＢ２２１３と接続されており、このＰＣＩバスには、ＦＣＵＩ／Ｆ２２３０なども接続される。
【０１０９】
ＡＳＩＣ２２１６は、マルチメディア情報処理用のハードウェア要素を有するマルチメディア情報処理用途向けのＩＣ（Ｉｎｔｅｇｒａｔｅｄ  Ｃｉｒｃｕｉｔ）であり、ＡＧＰ２２１５、ＰＣＩバス、ＨＤＤ５およびＭＥＭ−Ｃ２２１７をそれぞれ接続するブリッジの役割を有する。
【０１１０】
このＡＳＩＣ２２１６は、ＰＣＩターゲットおよびＡＧＰマスタと、ＡＳＩＣ２２１６の中核をなすアービタ（ＡＲＢ）と、ＭＥＭ−Ｃ２２１７を制御するメモリコントローラと、ハードウェアロジック等により画像データの回転などを行う複数のＤＭＡＣ（Ｄｉｒｅｃｔ  Ｍｅｍｏｒｙ  Ａｃｃｅｓｓ  Ｃｏｎｔｒｏｌｌｅｒ）と、エンジン部２２６０との間でＰＣＩバスを介してＵＳＢ（Ｕｎｉｖｅｒｓａｌ  Ｓｅｒｉａｌ  Ｂｕｓ）２２４０、ＩＥＥＥ（ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）１３９４インタフェース２２５０が接続される。
【０１１１】
ＭＥＭ−Ｃ２２１７は、送信用画像バッファ、符号バッファとして用いるローカルメモリであり、ＨＤＤ１３は、画像データの蓄積、プログラムの蓄積、フォントデータの蓄積、フォームの蓄積を行うためのストーレジである。
【０１１２】
ＡＧＰ２２１５は、グラフィック処理を高速化するために提案されたグラフィックスアクセラレータカード用のバスインタフェースであり、ＭＥＭ−Ｐ２２１２に高スループットで直接アクセスすることにより、グラフィクスアクセラレータカードを高速にするものである。
【０１１３】
ＡＳＩＣ２２１６に接続する第１の操作表示部１１は、操作者からの操作入力を受け付けて、ＡＳＩＣ２２１６に受け付けられた操作入力情報を送信する。
【０１１４】
なお、実施の形態のＭＦＰで実行される情報配信プログラムは、ＲＯＭ等に予め組み込まれて提供される。
【０１１５】
実施の形態のＭＦＰで実行される情報配信プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【０１１６】
さらに、実施の形態によるＭＦＰで実行される情報配信プログラムを、インターネット等のネットワークに接続されたコンピュータ上に格納し、ネットワーク経由でダウンロードさせることにより提供するように構成しても良い。また、実施の形態のＭＦＰで実行される情報配信プログラムをインターネット等のネットワーク経由で提供または配布するように構成しても良い。
【０１１７】
実施の形態のＭＦＰで実行される情報配信プログラムは、上述した各部（解析部１２、記憶部１３、第１の表示制御部１４、および第１の通信部１５など）を含むモジュール構成となっており、実際のハードウェアとしてはＣＰＵ（プロセッサ）が上記ＲＯＭから情報配信プログラムを読み出して実行することにより上記各部が主記憶装置上にロードされ、解析部１２、記憶部１３、第１の表示制御部１４、および第１の通信部１５などが主記憶装置上に生成されるようになっている。
【０１１８】
図１９は、実施の形態による情報処理装置のハードウェア構成を示す図である。実施の形態による情報処理装置は、図１９に示すように、ＣＰＵ（Central Processing Unit）２３０１などの制御装置と、ＲＯＭ（Read Only Memory）２３０２やＲＡＭ（Random Access Memory）２３０３などの記憶装置と、ＨＤＤ（Hard Disk Drive）、ＣＤ（Compact Disk）ドライブ装置等の外部記憶装置２３０４と、第２の操作表示部６５における表示装置６５ａと、接触入力機構、キーボード、およびマウス等の入力装置６５ｂと、通信Ｉ／Ｆ２３０７と、これらを接続するバス２３０８を備えており、通常のコンピュータを利用したハードウェア構成となっている。
【０１１９】
実施の形態による情報処理装置で実行される情報処理プログラムは、インストール可能な形式又は実行可能な形式のファイルでＣＤ−ＲＯＭ、フレキシブルディスク（ＦＤ）、ＣＤ−Ｒ、ＤＶＤ（Digital Versatile Disk）等のコンピュータで読み取り可能な記録媒体に記録されて提供される。
【０１２０】
また、実施の形態による情報処理装置で実行される情報処理プログラムを、インターネット等のネットワークに接続されたコンピュータ上に格納し、ネットワーク経由でダウンロードさせることにより提供するように構成しても良い。また、実施の形態による情報処理装置で実行される情報処理プログラムをインターネット等のネットワーク経由で提供または配布するように構成しても良い。また、実施の形態による情報処理プログラムを、ＲＯＭ等に予め組み込んで提供するように構成してもよい。
【０１２１】
実施の形態による情報処理装置で実行される情報処理プログラムは、上述した各部（第２の通信部、展開部、文書編集部、第２の表示制御部など）を含むモジュール構成となっており、実際のハードウェアとしてはＣＰＵ（プロセッサ）が上記記憶媒体から情報処理プログラムを読み出して実行することにより上記各部が主記憶装置上にロードされ、第２の通信部、展開部、文書編集部、第２の表示制御部などが主記憶装置上に生成されるようになっている。
【産業上の利用可能性】
【０１２２】
以上のように、本発明にかかる画像形成装置、メール配信サーバおよび情報処理装置は、情報配信技術に有用であり、特に、ネットワークで接続される情報処理装置に対する文書情報配信技術に適している。
【図面の簡単な説明】
【０１２３】
【図１】実施の形態１による情報配信システムの機能的ブロック図である。
【図２】解析部１２の機能的ブロック図である。
【図３】領域識別部１２１の機能的ブロック図である。
【図４】文字解析部の機能的ブロック図である。
【図５】操作表示部の１例を示す模式図である。
【図６】操作表示部の他の１例を示す模式図である。
【図７】実施の形態１の情報処理装置の第２の操作表示部における表示画面を示す模式図である。
【図８】実施の形態１の情報配信システムにおける情報装置および表示手順を説明するフローチャートである。
【図９】実施の形態２による情報配信システムの機能的ブロック図である。
【図１０】実施の形態２の情報配信システムにおける情報装置および表示手順を説明するフローチャートである。
【図１１】実施の形態３による情報配信システムの機能的ブロック図である。
【図１２】情報処理装置において表示された編集処理モードの１例を示す図である。
【図１３】実施の形態３による情報配信システムにおける情報装置および表示手順を説明するフローチャートである。
【図１４−１】実施の形態４による情報配信システムの機能的ブロック図である。
【図１４−２】実施の形態４の情報処理装置の第２の操作表示部における表示画面を示す模式図である。
【図１５】実施の形態４による情報配信システムにおける情報装置および表示手順を説明するフローチャートである。
【図１６】実施の形態４の変形例による情報配信システムにおける情報装置および表示手順を説明するフローチャートである。
【図１７】実施の形態５による情報配信システムの機能的ブロック図である。
【図１８】実施の形態による画像形成装置のハードウェア構成を示すブロック図である。
【図１９】実施の形態による情報処理装置のハードウェア構成を示す図である。
【符号の説明】
【０１２４】
１  スキャナ
２  入力処理部
３  ネットワーク
４  出力処理部
５  画像出力部
１１  操作表示部
１２  解析部
１３  記憶部
１４  第１の表示制御部
１５  第１の通信部
６１  第２の通信部
６２  展開部
６３  文書編集部
６４  第２の表示制御部
６５  第２の操作表示部
１００  情報配信装置
２００  情報処理装置
【図１】
2007288769.tif 000003
【図２】
2007288769.tif 000004
【図３】
2007288769.tif 000005
【図４】
2007288769.tif 000006
【図５】
2007288769.tif 000007
【図６】
2007288769.tif 000008
【図７】
2007288769.tif 000009
【図８】
2007288769.tif 000010
【図９】
2007288769.tif 000011
【図１０】
2007288769.tif 000012
【図１１】
2007288769.tif 000013
【図１２】
2007288769.tif 000014
【図１３】
2007288769.tif 000015
【図１４−１】
2007288769.tif 000016
【図１４−２】
2007288769.tif 000017
【図１５】
2007288769.tif 000018
【図１６】
2007288769.tif 000019
【図１７】
2007288769.tif 000020
【図１８】
2007288769.tif 000021
【図１９】
2007288769.tif 000022